(57)【要約】【課題】コークス炉の点検や修理工事のために停止する炉団をコークス炉稼働率が低下しないように反映した操業スケジュールを、工数が掛からないように容易に組み直すこと。【解決手段】記憶部６０２に、Ａ〜Ｄ炉団毎に、当該炉団に配列された窯を５窯ピッチ数分の５グループに分け、更に全炉団の窯にシーケンシャルに付けた窯番号が５グループの各々で５ピッチ毎に順次配列されるように定義づけた５組のＡ〜Ｄ炉団窯順データを記憶する。スケジュール作成処理部６０４によって、表示部６０８に、操業クルー選択画面を表示し、ここで操業クルーの選択操作時に、この操業クルー別に、複数の炉団毎に定義づけられた５組の窯順データを組単位（Ａ１などの単位）で入力設定するための窯順パターン設定画面を表示し、ここで窯順データの入力設定操作に応じて当該設定内容を表示し、この設定内容の確定操作に応じて、設定内容を操業スケジュールとして確定する。【選択図】      図１
2008297442.tif 000002
【特許請求の範囲】
【請求項１】
石炭を乾留してコークスを製造する窯を所定数配列した炉団を複数備え、この複数の炉団が１又は２の操業クルーに分けられ、この操業クルー単位で炉団の各窯がｎピッチ順に稼動されるコークス炉を操業する際に、コークス炉の稼働率が低下しないように操業スケジュールを作成するコークス炉操業スケジュール作成装置において、
前記複数の炉団毎に、当該炉団に配列された前記窯を前記ｎピッチ数分のｎグループに分け、更に全炉団の窯にシーケンシャルに付けた窯番号が、前記ｎグループの各々でｎピッチ毎に順次配列されるように定義づけたｎ組の窯順データを記憶する記憶手段と、
文字画像を表示する表示手段と、
前記表示手段に、前記操業クルーの選択画面を表示し、この画面で操業クルーが選択操作された際に、この選択された操業クルー別に、前記複数の炉団毎に定義づけられたｎ組の窯順データを組単位で入力設定するための窯順パターン設定画面を表示し、この画面での窯順データの入力設定操作に応じて当該設定内容を表示し、この表示された設定内容を確定する操作に応じて、その設定内容を前記操業スケジュールとして確定する処理を行う処理手段と
を備えたことを特徴とするコークス炉操業スケジュール作成装置。
【請求項２】
前記処理手段は、前記複数の炉団のうち任意の炉団を停止するための停止選択画面を表示し、この画面で操業クルーが停止選択操作された際に、この選択された炉団の窯順データが他の炉団の窯順データで補われるように自動で設定したのち当該設定内容を表示し、この表示された設定内容を確定する操作に応じて、その設定内容を前記操業スケジュールとして確定する処理を行うことを特徴とする請求項１に記載のコークス炉操業スケジュール作成装置。
【発明の詳細な説明】
【技術分野】
【０００１】
本発明は、石炭を乾留（高温で蒸す）してコークスを製造する窯を多数有して成るコークス炉を操業する際に、コークス炉の稼働率が低下しないように操業スケジュールを作成するコークス炉操業スケジュール作成装置に関する。
【背景技術】
【０００２】
図１１にコークス炉５００の全体構成を示し、その説明を行う。コークス炉５００では、石炭の燃焼室及び炭化室を構成する炉が「１窯」（又は「１門」）と呼ばれ、一般的に３０〜５０窯程度の塊りを「炉団」と称す。このコークス炉５００では、例えば５５窯の炉団が符号５１１，５１２，５１３，５１４で示すように直線上に所定の間隔で４つ配備されている。これらをＡ炉団５１１、Ｂ炉団５１２、Ｃ炉団５１３、Ｄ炉団５１４と称す。
【０００３】
これらＡ炉団５１１〜Ｄ炉団５１４の上に配備された平行な２本のレール部５１６には、２つの装炭車５１８，５１９が移動自在に載置されており、更にレール部５１６を上方から跨る状態に２つの石炭塔５２１，５２２が配備されている。一方の石炭塔５２１は、Ａ炉団５１１とＢ炉団５１２との間に配備され、他方の石炭塔５２２は、Ｃ炉団５１３とＤ炉団５１４との間に配備されている。
【０００４】
レール部５１６には、当該レール部５１６を貫通してＡ炉団５１１〜Ｄ炉団５１４毎に連通する上昇管５２４，５２５，５２６，５２７並びに放散ブリーダー５２９，５３０，５３１，５３２が配備されている。また、各炉団５１１〜５１４には、矢印Ｙ１で示す方向にコークス炉ガスを輸送するガス管５３４が連通されている。そのコークス炉ガスは図示せぬ精製工程へ輸送されるようになっている。
【０００５】
Ａ炉団５１１〜Ｄ炉団５１４の当該図面に向かって後方には、複数の押出機５３６，５３７，５３８がレール部５１６と平行に配備された図示せぬレール部を介して移動自在に載置され、図面に向かって前方には、複数のガイド車５４０，５４１，５４２がレール部５１６と平行に配備されたレール部５４４を介して移動自在に載置されている。
更に、ガイド車５４０〜５４２の前方には、後方のレール部５１６と平行に配備されたレール部５４６を介して消火車５４８とバケットカー５４９が移動自在に載置されている。また、レール部５４６の左側と中央部とには当該レール部５４６を上方から跨って消火塔５５１，５５２が配備されている。更に、レール部５４６の前方中央部には乾式消火設備であるＣＤＱ５５３が配備されている。
【０００６】
また、当該コークス炉５００には、Ａ炉団５１１及びＢ炉団５１２用の煙突５５７と、Ｃ炉団５１３及びＤ炉団５１４用の煙突５５８とが配備されている。
このような構成のコークス炉５００において、Ａ炉団５１１〜Ｄ炉団５１４のうちＡ炉団５１１の系統を例にとってコークス製造時の各要素の処理を説明する。
まず、石炭塔５２１には図示せぬコンベアで搬送されてくる石炭が積み込まれる。この石炭塔５２１に積み込まれた石炭は、石炭塔５２１の下に移動した装炭車５１８に積載され、この装炭車５１８がＡ炉団５１１の上方を徐々に移動しながらＡ炉団５１１の５５窯全てに石炭を充填する。
【０００７】
この後、Ａ炉団５１１の各窯にて石炭が十数時間、乾留される。この乾留時、Ａ炉内の圧力が過剰に上昇しないように放散ブリーダー５２９で圧力上昇が抑制され、また、発生するコークス炉ガスは上昇管５２４を介して回収され、これらによってＡ炉が適正状態に保持されるようになっている。更に乾留時に発生し上昇管５２４部分を介して回収されるコークス炉ガスは、ガス管５３４を通って図示せぬ精製工程へ搬送される。また、排ガスは煙突５５７から放出される。
【０００８】
この乾留によってコークスができると、コークスが押出機５３６でＡ炉団５１１の各窯から押し出される。この押し出されたコークスはガイド車５４０で案内されながら消火車５４８に積み込まれ、この積込後、消火車５４８がレール部５４６を移動して消火塔５５１に配置され、ここでコークスに水がかけられて冷却される。
この一連の製造処理がＢ炉団５１２、Ｃ炉団５１３、Ｄ炉団５１４においても行われるが、Ｃ炉団５１３及びＤ炉団５１４においては、消火車５４８の代わりにバケットカー５４９，５４２が用いられてコークスが冷却される。例えばバケットカー５４９のバケツにガイド車５４１で案内されたコークスが積載され、この後、そのバケツが図示せぬクレーンでＣＤＱ５５３に搬送され、ここで窒素によって冷却される。即ち、Ａ炉団５１１、Ｂ炉団５１２はコークス冷却が湿式冷却である例であり、Ｃ炉団５１３、Ｄ炉団５１４は乾式冷却を行う例で示した。
【０００９】
このように、石炭を乾留してコークスを製造する処理は、各々が５５窯を有するＡ炉団５１１〜Ｄ炉団５１４を、Ａ及びＢ炉団５１１，５１２の組み合わせであるＡＢと、Ｃ及びＤ炉団５１３，５１４の組合せであるＣＤとの２グループや、全炉団ＡＢＣＤを１つとする１グループのようにグループ分けし、１つのグループを操業クルーと称す。例えばＡＢとＣＤの２グループであれば、２クルーであり、この場合、それぞれＡＢクルーとＣＤクルーと称す。ＡＢＣＤの１グループであれば、１クルーであり、ＡＢＣＤクルーと称す。なお、２クルーの場合、ＡとＢＣＤとの２グループのように１：３炉団の組み合わせもある。
【００１０】
このような操業クルーをもとに操業スケジュールを組み、このスケジュールに従ってコークス炉５００の操業を行うようになっている。
操業スケジュールを組む場合、Ａ〜Ｄの４つの炉団５１１〜５１４の全ての窯（４×５５＝２２０窯）に、Ａ炉団５１１の１番目の窯からＤ炉団５１４の２２０番目の窯まで順にシーケンシャル番号を付け、図１２に表で示すように、そのシーケンシャル番号を次に説明する所定の順序に従って、人が１窯ずつ配列することにより操業スケジュールＳＳ１を組む。この操業スケジュールＳＳ１は、通常スケジューリングされる基本パターンである。
【００１１】
この操業スケジュールＳＳ１に示すように、当業界では一般的に、Ａ〜Ｄ炉団の各窯を稼動させる場合、操業クルー毎に５窯ピッチで行う。この５窯ピッチは、隣接窯との熱干渉が無く、更に、レール上を移動するガイド車５４０〜５４２の移動距離が長くならず効率よく移動できることを満たすように定めたものである。この５窯ピッチ毎に原料炭の装入と、コークスの押し出しを行うようになっている。
【００１２】
更に、操業クルー毎に５窯ピッチで窯を稼動させながら、これを操業クルー窯順Ｎｏ（ナンバー）．の順に行う。操業クルー窯順Ｎｏ．とは、操業クルー毎に窯を稼動する際の窯ピッチの数を１から末番まで順に番号として定めたものである。ここでは、５窯ピッチなので１〜５を操業クルー窯順Ｎｏ．１〜Ｎｏ．５としており、更に、それらＮｏ．１〜Ｎｏ．５が連続しないように、Ｎｏ．１，Ｎｏ３，Ｎｏ．５，Ｎｏ２，Ｎｏ．４のように配列してある。
【００１３】
また、図１２の操業クルーの欄に記載するように、操業クルーが、例えばＡＢＣＤクルーの１クルーである場合、Ａ〜Ｄ炉団の操業クルー窯順Ｎｏ．は、まず、操業クルー窯順Ｎｏ．１では、Ａ炉団５１１の１番目の窯（シーケンシャル番号＝１）から５窯ピッチ毎に順次配列した「１，６，１１，１６，…，５１」の番号列となり、この次は、Ｂ炉団５１２の１番目の窯（シーケンシャル番号＝５６）から５窯ピッチ毎に順次配列した「５６，６１，６６，７１，…，１０６」となり、この次は、Ｃ炉団５１３の１番目の窯（シーケンシャル番号＝１１１）から５窯ピッチ毎に順次配列した「１１６，１２１，１２６，…，１６１」となり、この次は、Ｄ炉団５１４の１番目の窯（シーケンシャル番号＝１６６）から５窯ピッチ毎に順次配列した「１６６，１７１，１７６，１８１，…，２１６」となる。
【００１４】
次に、操業クルー窯順Ｎｏ．３は、Ａ炉団５１１の３番目の窯（シーケンシャル番号＝３）から５窯ピッチ毎に順次配列した「３，８，１３，１８，…，５３」の番号列となり、この次は、Ｂ炉団５１２の３番目の窯（シーケンシャル番号＝５８）から５窯ピッチ毎に順次配列した「５８，６３，６８，７３，…，１０８」となり、この次は、Ｃ炉団５１３の３番目の窯（シーケンシャル番号＝１１３）から５窯ピッチ毎に順次配列した「１１３，１１８，１２３，１２８，…，１６３」となり、この次は、Ｄ炉団５１４の３番目の窯（シーケンシャル番号＝１６８）から５窯ピッチ毎に順次配列した「１６８，１７３，１７８，１８３，…，２１８」となる。
【００１５】
次に、操業クルー窯順Ｎｏ．５は、Ａ炉団５１１の５番目の窯（シーケンシャル番号＝５）から５窯ピッチ毎に順次配列した「５，１０，１５，２０，…，５５」の番号列となり、この次は、Ｂ炉団５１２の５番目の窯（シーケンシャル番号＝６０）から５窯ピッチ毎に順次配列した「６０，６５，７０，７５，…，１１０」となり、この次は、Ｃ炉団５１３の５番目の窯（シーケンシャル番号＝１１５）から５窯ピッチ毎に順次配列した「１１５，１２０，１２５，１３０，…，１６５」となり、この次は、Ｄ炉団５１４の５番目の窯（シーケンシャル番号＝１７０）から５窯ピッチ毎に順次配列した「１７０，１７５，１８０，１８５，…，２２０」となる。
【００１６】
次に、操業クルー窯順Ｎｏ．２は、Ａ炉団５１１の２番目の窯（シーケンシャル番号＝２）から５窯ピッチ毎に順次配列した「２，７，１２，１７，…，５２」の番号列となり、この次は、Ｂ炉団５１２の２番目の窯（シーケンシャル番号＝５７）から５窯ピッチ毎に順次配列した「５７，６２，６７，７２，…，１０７」となり、この次は、Ｃ炉団５１３の２番目の窯（シーケンシャル番号＝１１２）から５窯ピッチ毎に順次配列した「１１２，１１７，１２２，１２７，…，１６２」となり、この次は、Ｄ炉団５１４の２番目の窯（シーケンシャル番号＝１６７）から５窯ピッチ毎に順次配列した「１６７，１７２，１７７，１８２，…，２１７」となる。
【００１７】
次に、操業クルー窯順Ｎｏ．４は、Ａ炉団５１１の４番目の窯（シーケンシャル番号＝４）から５窯ピッチ毎に順次配列した「４，９，１４，１９，…，５４」の番号列となり、この次は、Ｂ炉団５１２の４番目の窯（シーケンシャル番号＝５９）から５窯ピッチ毎に順次配列した「５９，６４，６９，７４，…，１０９」となり、この次は、Ｃ炉団５１３の４番目の窯（シーケンシャル番号＝１１４）から５窯ピッチ毎に順次配列した「１１４，１１９，１２４，１２９，…，１６４」となり、この次は、Ｄ炉団５１４の４番目の窯（シーケンシャル番号＝１６９）から５窯ピッチ毎に順次配列した「１６９，１７４，１７９，１８４，…，２１９」となる。
【００１８】
ここで、操業クルーがＡＢＣＤクルーの１クルーである場合、コークス炉５００の操業は、操業スケジュールＳＳ１に従って次のように行われる。
まず、操業クルー窯順Ｎｏ．１において、Ａ炉団５１１の窯が「１，６，１１，１６，…，５１」の順に稼動され、次に、Ｂ炉団５１２の窯が「５６，６１，６６，７１，…，１０６」の順に稼動され、次に、Ｃ炉団５１３の窯が「１１６，１２１，１２６，…，１６１」の順に稼動され、次に、Ｄ炉団５１４の窯が「１７１，１７６，１８１，…，２１６」の順に稼動される。
【００１９】
次に、操業クルー窯順Ｎｏ．３において、Ａ炉団５１１の窯が「３，８，１３，１８，…，５３」の順に稼動され、次に、Ｂ炉団５１２の窯が「５８，６３，６８，７３，…，１０８」の順に稼動され、次に、Ｃ炉団５１３の窯が「１１３，１１８，１２３，１２８，…，１６３」の順に稼動され、次に、Ｄ炉団５１４の窯が「１６８，１７３，１７８，１８３，…，２１８」の順に稼動される。
【００２０】
次に、操業クルー窯順Ｎｏ．５において、Ａ炉団５１１の窯が「５，１０，１５，２０，…，５５」の順に稼動され、次に、Ｂ炉団５１２の窯が「６０，６５，７０，７５，…，１１０」の順に稼動され、次に、Ｃ炉団５１３の窯が「１１５，１２０，１２５，１３０，…，１６５」の順に稼動され、次に、Ｄ炉団５１４の窯が「１７０，１７５，１８０，１８５，…，２２０」の順に稼動される。
【００２１】
次に、操業クルー窯順Ｎｏ．２において、Ａ炉団５１１の窯が「２，７，１２，１７，…，５２」の順に稼動され、次に、Ｂ炉団５１２の窯が「５７，６２，６７，７２，…，１０７」の順に稼動され、次に、Ｃ炉団５１３の窯が「１１２，１１７，１２２，１２７，…，１６２」の順に稼動され、次に、Ｄ炉団５１４の窯が「１６７，１７２，１７７，１８２，…，２１７」の順に稼動される。
【００２２】
次に、操業クルー窯順Ｎｏ．４において、Ａ炉団５１１の窯が「４，９，１４，１９，…，５４」の順に稼動され、次に、Ｂ炉団５１２の窯が「５９，６４，６９，７４，…，１０９」の順に稼動され、次に、Ｃ炉団５１３の窯が「１１４，１１９，１２４，１２９，…，１６４」の順に稼動され、次に、Ｄ炉団５１４の窯が「１６９，１７４，１７９，１８４，…，２１９」の順に稼動される。
【００２３】
以降同様に、操業クルー窯順Ｎｏ．１に戻ってＮｏ．１，Ｎｏ３，Ｎｏ．５，Ｎｏ２，Ｎｏ．４の順に巡回してＡＢＣＤクルーの各窯が稼動される。
また、図１２の操業クルーの欄に記載するように、操業クルーが、ＡＢクルーとＣＤクルーの２クルーである場合、コークス炉５００の操業は、操業スケジュールＳＳ１に従って次のように行われる。
【００２４】
まず、操業クルー窯順Ｎｏ．１において、ＡＢクルーとＣＤクルー毎に、各炉団が並列に稼動される。つまり、ＡＢクルーにおいて、Ａ炉団５１１の窯が「１，６，１１，１６，…，５１」の順に稼動され、これと同時に、ＣＤクルーにおいて、Ｃ炉団５１３の窯が「１１６，１２１，１２６，…，１６１」の順に稼動される。従って、ＡＢクルーにおいては、Ａ炉団５１１の次に、Ｂ炉団５１２の窯が「５６，６１，６６，７１，…，１０６」の順に稼動され、ＣＤクルーにおいては、Ｃ炉団５１３の次に、Ｄ炉団５１４の窯が「１７１，１７６，１８１，…，２１６」の順に稼動される。
【００２５】
これと同様に、次の操業クルー窯順Ｎｏ３，Ｎｏ．５，Ｎｏ２，Ｎｏ．４においても各操業クルーのＡ・Ｂ炉団と、Ｃ・Ｄ炉団とが並列に稼動される。
即ち、操業クルー窯順Ｎｏ．３において、ＡＢクルーのＡ炉団５１１の窯が「３，８，１３，１８，…，５３」の順に稼動され、これと並列にＣＤクルーのＣ炉団５１３の窯が「１１３，１１８，１２３，１２８，…，１６３」の順に稼動される。次に、ＡＢクルーのＢ炉団５１２の窯が「５８，６３，６８，７３，…，１０８」の順に稼動され、これと並列にＤ炉団５１４の窯が「１６８，１７３，１７８，１８３，…，２１８」の順に稼動される。
【００２６】
次に、操業クルー窯順Ｎｏ．５において、ＡＢクルーのＡ炉団５１１の窯が「５，１０，１５，２０，…，５５」の順に稼動され、これと並列にＣＤクルーのＣ炉団５１３の窯が「１１５，１２０，１２５，１３０，…，１６５」の順に稼動される。次に、ＡＢクルーのＢ炉団５１２の窯が「６０，６５，７０，７５，…，１１０」の順に稼動され、これと並列にＤ炉団５１４の窯が「１７０，１７５，１８０，１８５，…，２２０」の順に稼動される。
【００２７】
次に、操業クルー窯順Ｎｏ．２において、ＡＢクルーのＡ炉団５１１の窯が「２，７，１２，１７，…，５２」の順に稼動され、これと並列にＣＤクルーのＣ炉団５１３の窯が「１１２，１１７，１２２，１２７，…，１６２」の順に稼動される。次に、ＡＢクルーのＢ炉団５１２の窯が「５７，６２，６７，７２，…，１０７」の順に稼動され、これと並列にＣＤクルーのＤ炉団５１４の窯が「１６７，１７２，１７７，１８２，…，２１７」の順に稼動される。
【００２８】
次に、操業クルー窯順Ｎｏ．４において、ＡＢクルーのＡ炉団５１１の窯が「４，９，１４，１９，…，５４」の順に稼動され、これと並列にＣＤクルーのＣ炉団５１３の窯が「１１４，１１９，１２４，１２９，…，１６４」の順に稼動される。次に、ＡＢクルーのＢ炉団５１２の窯が「５９，６４，６９，７４，…，１０９」の順に稼動され、これと並列にＣＤクルーのＤ炉団５１４の窯が「１６９，１７４，１７９，１８４，…，２１９」の順に稼動される。
【００２９】
以降同様に、操業クルー窯順Ｎｏ．１に戻ってＮｏ．１，Ｎｏ３，Ｎｏ．５，Ｎｏ２，Ｎｏ．４の順に巡回してＡＢクルーとＣＤクルーとの各窯が並列に稼動される。
このように、コークス炉５００は、連続操業が原則であるため、長年使用すると、コークス炉本体（炉団）及び移動設備、付帯設備等の老朽が進み、定期的な点検や修理が必須となる。
【００３０】
定期的な修理工事の内容としては、代表的なものとして、コークス炉内煉瓦の溶射・積み替え、金物類の取り替え、移動機の修理、機械品・電気品の取り替え、走行レール補修、給電装置補修、コークス炉集塵機の補修、水処理設備の補修、ベルトコンベアーの補修などがある。特に、建築後、数十年経過しているコークス炉操業を継続するためには数多い部位の修理工事が必要である。これを怠ると突発故障が頻発し、予期せぬ減産になり損失が増大することになるので、修理工事は必須となっている。
【００３１】
また、修理工事には、該当する炉団を長時間停止さなければならないが、炉団を長時間停止させることは、当該操業クルーのコークス生産量を低下させることになる。一般的に修理時間は、コークス炉の燃焼ガス温度調整・操業調整をしながら当該停止クルーの停止時間帯（例えば６時間×２日間／１ヶ月）を決めている。この６時間×２日間／１ヶ月がコークス炉５００の当該操業クルーの生産停止時間となる。更に、比較的規模の大きな修理を行うためには、６時間×３〜５日間の停止が必要である。このように、炉団を長時間停止する場合、コークス炉稼働率が低くなるので、当該操業クルーのコークス生産量を低下させることになる。
【００３２】
そこで、コークス炉５００の修理工事を行う都度、コークス炉稼働率が低下しないように、その修理工事に見合った操業スケジュールＳＳ１を組み直すようになっている。
この種の操業スケジュールを作成してコークス炉を操業する技術として、例えば特許文献１に記載の内容がある。
これは、計画的なコークスの減産を回避し得るよう、すべての操業エリアにおいて、長時間の非作業時間帯を確保できることを目的として、両隣に燃焼室が配備された多数の炭化室からなるコークス炉について、炭化室からのコークスの窯出し作業とこれに続く原料炭の装入作業とからなる単位炉作業を行う際、１つの操業クルーが単位炉作業を受け持つコークス炉の部分を複数の操業エリアに区分し、１つの操業エリアに属する複数の炭化室の単位炉作業を連続して行った後、別の操業エリアに属する複数の炭化室の単位炉作業を連続して行うことを、前記各操業エリアについて順次繰返すことにより、各操業エリアにおける単位炉作業を行っていない非操業時間を連続して確保するようになっている。
【特許文献１】特開２０００−２９０６６４号公報
【発明の開示】
【発明が解決しようとする課題】
【００３３】
ところで、上述したように、コークス炉５００の修理工事を行う都度、コークス炉稼働率が低下しないように、その修理工事を行うに見合った操業スケジュールＳＳ１を組み直す場合、その都度、担当者が試行錯誤して全２２０窯の１窯ずつ番号を入力して組み直さなければならないので、容易に組み直すことができず工数が掛かるという問題がある。
上記特許文献１においては、非操業時間を連続して確保できるので、この間に点検や修理工事等を行うことが可能である。しかし、緊急の点検や修理工事が発生した場合は、この点検や修理工事を行うに見合った操業スケジュールを担当者が組み直さなければならないので、上記同様、容易に組み直すことができず工数が掛かるという問題がある。
本発明は、このような課題に鑑みてなされたものであり、コークス炉の点検や修理工事のために停止する炉団をコークス炉稼働率が低下しないように反映した操業スケジュールを、工数が掛からないように容易に組み直すことができるコークス炉操業スケジュール作成装置を提供することを目的としている。
【課題を解決するための手段】
【００３４】
上記目的を達成するために、本発明の請求項１によるコークス炉操業スケジュール作成装置は、石炭を乾留してコークスを製造する窯を所定数配列した炉団を複数備え、この複数の炉団が１又は２の操業クルーに分けられ、この操業クルー単位で炉団の各窯がｎピッチ順に稼動されるコークス炉を操業する際に、コークス炉の稼働率が低下しないように操業スケジュールを作成するコークス炉操業スケジュール作成装置において、前記複数の炉団毎に、当該炉団に配列された前記窯を前記ｎピッチ数分のｎグループに分け、更に全炉団の窯にシーケンシャルに付けた窯番号が、前記ｎグループの各々でｎピッチ毎に順次配列されるように定義づけたｎ組の窯順データを記憶する記憶手段と、文字画像を表示する表示手段と、前記表示手段に、前記操業クルーの選択画面を表示し、この画面で操業クルーが選択操作された際に、この選択された操業クルー別に、前記複数の炉団毎に定義づけられたｎ組の窯順データを組単位で入力設定するための窯順パターン設定画面を表示し、この画面での窯順データの入力設定操作に応じて当該設定内容を表示し、この表示された設定内容を確定する操作に応じて、その設定内容を前記操業スケジュールとして確定する処理を行う処理手段とを備えたことを特徴とする。
【００３５】
この構成によれば、コークス炉の稼働率が低下しないように操業スケジュールを作成する場合、利用者は、画面上で操業クルーを選択し、複数の炉団毎に定義づけられたｎ組の窯順データを組単位で入力設定し、この設定内容を確定する操作を行えばよい。従って、従来のように、利用者が試行錯誤して全炉団の窯の１窯ずつ番号を入力して操業スケジュールを組といった処理が不要となる。例えば、Ａ〜Ｄの４つの炉団毎に５５窯配列されている場合、全窯は４炉団×５５窯＝２２０窯であるが、この全２２０窯の１窯ずつ番号を入力してスケジュールを組むのはかなりの工数が掛かる。本発明では、Ａ〜Ｄ炉団毎に、５窯ピッチ毎に窯番号が、例えば「１，６，１１，…，５１」のように１１数値づつ配列された５組の窯順データＡ１〜Ａ５，Ｂ１〜Ｂ５，Ｃ１〜Ｃ５，Ｄ１〜Ｄ５を記憶しておき、これらを組単位（例えばＡ１）で入力設定可能である。つまり、Ａ１には１１数値の窯番号が組み込まれているので、従来に比べ、１／１１の入力設定回数で済み、更に各窯番号の確認も１窯毎に行わなくても済むので、スケジュール作成工数を大幅に削減することができる。
【００３６】
また、本発明の請求項２によるコークス炉操業スケジュール作成装置は、請求項１において、前記処理手段は、前記複数の炉団のうち任意の炉団を停止するための停止選択画面を表示し、この画面で操業クルーが停止選択操作された際に、この選択された炉団の窯順データが他の炉団の窯順データで補われるように自動で設定したのち当該設定内容を表示し、この表示された設定内容を確定する操作に応じて、その設定内容を前記操業スケジュールとして確定する処理を行うことを特徴とする。
【００３７】
この構成によれば、Ａ〜Ｄ炉団の点検や修理工事などで炉団を停止する場合、利用者は停止対象の炉団を停止選択操作するのみで、その停止選択された炉団の窯順データが他の炉団の窯順データで補われるように自動で設定されるので、従来のように、停止炉団を除く他の炉団で全２２０窯分を１窯ずつ番号入力してスケジュールを組むといった作業がなくなる。従って、本発明では炉団停止時にスケジュールを組む際に大幅に工数を削減することが可能となる。
【発明の効果】
【００３８】
以上説明したように本発明によれば、コークス炉の点検や修理工事のために停止する炉団をコークス炉稼働率が低下しないように反映した操業スケジュールを、工数が掛からないように容易に組み直すことができるという効果がある。
【発明を実施するための最良の形態】
【００３９】
以下、本発明の実施の形態を、図面を参照して説明する。
図１は、本発明の実施の形態に係るコークス炉操業スケジュール作成装置の構成を示すブロック図である。
図１に示すコークス炉操業スケジュール作成装置６００は、前述で説明したコークス炉５００の操業スケジュールを作成するためにコンピュータによる実現した装置であり、炉団毎窯順データｄｔを記憶する記憶部６０２と、スケジュール作成処理部６０４と、ディスプレイに操作画面６０６が表示される表示部６０８とを備えて構成されている。
【００４０】
なお、コークス炉操業スケジュール作成装置６００は、コンピュータ装置なのでキーボード６１０並びにマウス６１１も備え、これらの入力命令をスケジュール作成処理部６０４へ入力可能となっている。
炉団毎窯順データｄｔは、Ａ〜Ｄ炉団毎に窯を、図２に示すように、５窯ピッチ数分のグループに分け、即ちＡ炉団５１１をＡ１〜Ａ５の５グループの窯順データ、Ｂ炉団５１２をＢ１〜Ｂ５の５グループの窯順データ、Ｃ炉団５１３をＣ１〜Ｃ５の５グループの窯順データ、Ｄ炉団５１４をＤ１〜Ｄ５の５グループの窯順データに分け、更に、これらグループ内の窯番号が５窯ピッチで順次配列されるように定義づけたデータである。
【００４１】
Ａ炉団窯順データＡ１は、Ａ炉団５１１の１番目の窯（前述したシーケンシャル番号＝１）から５窯ピッチ毎に順次配列した「１，６，１１，１６，…，５１」の番号列から成る。Ａ炉団窯順データＡ２は、Ａ炉団５１１の２番目の窯（前述したシーケンシャル番号＝２）から５窯ピッチ毎に順次配列した「２，７，１２，１７，…，５２」の番号列から成る。Ａ炉団窯順データＡ３は、Ａ炉団５１１の３番目の窯（前述したシーケンシャル番号＝３）から５窯ピッチ毎に順次配列した「３，８，１３，１８，…，５３」の番号列から成る。Ａ炉団窯順データＡ４は、Ａ炉団５１１の４番目の窯（前述したシーケンシャル番号＝４）から５窯ピッチ毎に順次配列した「４，９，１４，１９，…，５４」の番号列から成る。Ａ炉団窯順データＡ５は、Ａ炉団５１１の５番目の窯（前述したシーケンシャル番号＝５）から５窯ピッチ毎に順次配列した「５，１０，１５，２０，…，５５」の番号列から成る。
【００４２】
Ｂ炉団窯順データＢ１は、Ｂ炉団５１２の１番目の窯（シーケンシャル番号＝５６）から５窯ピッチ毎に順次配列した「５６，６１，６６，７１，…，１０６」の番号列から成る。Ｂ炉団窯順データＢ２は、Ｂ炉団５１２の２番目の窯（シーケンシャル番号＝５７）から５窯ピッチ毎に順次配列した「５７，６２，６７，７２，…，１０７」の番号列から成る。Ｂ炉団窯順データＢ３は、Ｂ炉団５１２の３番目の窯（シーケンシャル番号＝５８）から５窯ピッチ毎に順次配列した「５８，６３，６８，７３，…，１０８」の番号列から成る。Ｂ炉団窯順データＢ４は、Ｂ炉団５１２の４番目の窯（シーケンシャル番号＝５９）から５窯ピッチ毎に順次配列した「５９，６４，６９，７４，…，１０９」の番号列から成る。Ｂ炉団窯順データＢ５は、Ｂ炉団５１２の５番目の窯（シーケンシャル番号＝６０）から５窯ピッチ毎に順次配列した「６０，６５，７０，７５，…，１１０」の番号列から成る。
【００４３】
Ｃ炉団窯順データＣ１は、Ｃ炉団５１３の１番目の窯（シーケンシャル番号＝１１１）から５窯ピッチ毎に順次配列した「１１６，１２１，１２６，…，１６１」の番号列から成る。Ｃ炉団窯順データＣ２は、Ｃ炉団５１３の２番目の窯（シーケンシャル番号＝１１２）から５窯ピッチ毎に順次配列した「１１２，１１７，１２２，１２７，…，１６２」の番号列から成る。Ｃ炉団窯順データＣ３は、Ｃ炉団５１３の３番目の窯（シーケンシャル番号＝１１３）から５窯ピッチ毎に順次配列した「１１３，１１８，１２３，１２８，…，１６３」の番号列から成る。Ｃ炉団窯順データＣ４は、Ｃ炉団５１３の４番目の窯（シーケンシャル番号＝１１４）から５窯ピッチ毎に順次配列した「１１４，１１９，１２４，１２９，…，１６４」の番号列から成る。Ｃ炉団窯順データＣ５は、Ｃ炉団５１３の５番目の窯（シーケンシャル番号＝１１５）から５窯ピッチ毎に順次配列した「１１５，１２０，１２５，１３０，…，１６５」の番号列から成る。
【００４４】
Ｄ炉団窯順データＤ１は、Ｄ炉団５１４の１番目の窯（シーケンシャル番号＝１６６）から５窯ピッチ毎に順次配列した「１６６，１７１，１７６，１８１，…，２１６」の番号列から成る。Ｄ炉団窯順データＤ２は、Ｄ炉団５１４の２番目の窯（シーケンシャル番号＝１６７）から５窯ピッチ毎に順次配列した「１６７，１７２，１７７，１８２，…，２１７」の番号列から成る。Ｄ炉団窯順データＤ３は、Ｄ炉団５１４の３番目の窯（シーケンシャル番号＝１６８）から５窯ピッチ毎に順次配列した「１６８，１７３，１７８，１８３，…，２１８」の番号列から成る。Ｄ炉団窯順データＤ４は、Ｄ炉団５１４の４番目の窯（シーケンシャル番号＝１６９）から５窯ピッチ毎に順次配列した「１６９，１７４，１７９，１８４，…，２１９」の番号列から成る。Ｄ炉団窯順データＤ５は、Ｄ炉団５１４の５番目の窯（シーケンシャル番号＝１７０）から５窯ピッチ毎に順次配列した「１７０，１７５，１８０，１８５，…，２２０」の番号列から成る。
【００４５】
次に、スケジュール作成処理部６０４は、表示部６０８にスケジュール作成用の操作画面６０６を表示し、この操作画面６０６での操作内容に応じたスケジュール作成のための処理を次に説明するように行う。
操作画面６０６として、最初に図３の（ａ）に示す操業クルー選択画面６０６−０及び（ｂ）に示す炉団停止選択画面６０６−１が表示される。
操業クルー選択画面６０６−０は、操業クルーを選択する画面であり、操業クルーをＡＢ炉団（第１クルー）とＣＤ炉団（第２クルー）との２クルーに設定するための２クルーＡＢ／ＣＤ釦７０１と、Ａ炉団（第１クルー）とＢＣＤ炉団（第２クルー）との２クルーに設定するための２クルーＡ／ＢＣＤ釦７０２と、ＡＢＣＤ炉団の１クルーに設定するための１クルーＡＢＣＤ釦７０３とが表示される。
【００４６】
炉団停止選択画面６０６−１は、炉団の点検や修理工事などで炉団を停止する際に停止設定を行うと共に、停止から操業状態に設定する際に操業設定を行う画面であり、Ａ〜Ｄ炉団毎に、該当の炉団を操業する設定を行う操業釦７３１，７３２，７３３，７３４と、該当の炉団を停止する設定を行う停止釦７３５，７３６，７３７，７３８とが表示される。
【００４７】
操業クルー選択画面６０６−０において、２クルーＡＢ／ＣＤ釦７０１がマウス６１１でクリックされて選択されると、スケジュール作成処理部６０４は、表示部６０８に図４に示す２クルーＡＢ／ＣＤ窯順パターン設定画面６０６−２を表示する処理を行い、２クルーＡ／ＢＣＤ釦７０２が選択されると、図５に示す２クルーＡ／ＢＣＤ窯順パターン設定画面６０６−３を表示する処理を行い、１クルーＡＢＣＤ釦７０３が選択されると、図６に示す１クルー窯順パターン設定画面６０６−４を表示する処理を行う。
【００４８】
利用者は、それら表示された設定画面６０６−２〜６０６−４にて、コークス炉５００を稼動するための所定の窯順パターンを設定することになる。これは通常、前述で図１２を参照して説明したように、操業クルー窯順Ｎｏ．並びに操業クルーにおけるＡ〜Ｄ炉団毎の稼動順窯番号で示される窯稼動順に従って設定される。
即ち、図４に示す２クルーＡＢ／ＣＤ窯順パターン設定画面６０６−２においては、ＡＢ＃１〜＃１０の設定欄（ＸＸ）を該当の選択釦で選択しながら、この選択欄に入力するＡ炉団窯順データＡ１〜Ａ５及びＢ炉団窯順データＢ１〜Ｂ５を、これらに対応する設定ＰＢ釦Ａ１〜Ａ５及びＢ１〜Ｂ５で入力し、決定釦７０５で決定する。また、各選択釦の下の削除釦は、この入力決定された窯順データを誤り時等に削除するためのものである。全削除釦７０６は、ＡＢ＃１〜＃１０の設定欄に設定されたデータを全て削除するためのものである。
【００４９】
ＣＤ＃１〜＃１０の設定欄（ＸＸ）においても同様に該当の選択釦で選択しながら、この選択欄に入力するＣ炉団窯順データＣ１〜Ｃ５及びＤ炉団窯順データＤ１〜Ｄ５を、これらに対応する設定ＰＢ釦Ｃ１〜Ｃ５及びＤ１〜Ｄ５で入力し、決定釦７０７で決定する。全削除釦７０８は、ＣＤ＃１〜＃１０の設定欄に設定されたデータを全て削除するためのものである。
図５に示す２クルーＡ／ＢＣＤ窯順パターン設定画面６０６−３においては、Ａ＃１〜＃５の設定欄（ＸＸ）を該当の選択釦で選択しながら、この選択欄に入力するＡ炉団窯順データＡ１〜Ａ５を、これらに対応する設定ＰＢ釦Ａ１〜Ａ５で入力し、決定釦７０９で決定する。全削除釦７１０は、Ａ＃１〜＃５の設定欄に設定されたデータを全て削除するためのものである。
【００５０】
ＢＣＤ＃１〜＃１５の設定欄（ＸＸ）においても同様に該当の選択釦で選択しながら、この選択欄に入力するＢ炉団窯順データＢ１〜Ｂ５，Ｃ炉団窯順データＣ１〜Ｃ５及びＤ炉団窯順データＤ１〜Ｄ５を、これらに対応する設定ＰＢ釦Ｂ１〜Ｂ５，Ｃ１〜Ｃ５及びＤ１〜Ｄ５で入力し、決定釦７１１で決定する。全削除釦７１２は、ＢＣＤ＃１〜＃１５の設定欄に設定されたデータを全て削除するためのものである。
【００５１】
図６に示す１クルー窯順パターン設定画面６０６−４においては、ＡＢＣＤ＃１〜＃２０の設定欄（ＸＸ）を該当の選択釦で選択しながら、この選択欄に入力するＡ〜Ｄ炉団窯順データＡ１〜Ａ５，Ｂ１〜Ｂ５，Ｃ１〜Ｃ５，Ｄ１〜Ｄ５を、これらに対応する設定ＰＢ釦Ａ１〜Ａ５，Ｂ１〜Ｂ５，Ｃ１〜Ｃ５，Ｄ１〜Ｄ５で入力し、決定釦７１３で決定する。全削除釦７１４は、ＡＢＣＤ＃１〜＃２０の設定欄に設定されたデータを全て削除するためのものである。
【００５２】
このように窯順データが設定されると、これに応じてスケジュール作成処理部６０４は、図７に示すように、操業スケジュール作成画面６０６−５を表示部６０８に表示する処理を行う。操業スケジュール作成画面６０６−５には、操業クルー選択状態７１５と、炉団停止選択状態７１６と、窯順パターン設定状態７１７と、現状設定状態７１８とが表示される。この表示は、本例では図示しないが色分け等によって判り易く表示する。
【００５３】
図７の表示例では、操業クルー選択状態７１５として２クルーＡＢ／ＣＤが選択され、炉団停止選択状態７１６として、炉団停止選択は無くＡ〜Ｄ炉団の全てが操業されるように設定されている。窯順パターン設定状態７１７としては、２クルーＡＢ／ＣＤの＃１〜＃２０欄に、上記の２クルーＡＢ／ＣＤ窯順パターン設定画面６０６−２で設定された各炉団窯順データＡ，Ｂ，Ｃ，Ｄが、＃１（Ｂ５），＃２（Ａ２），＃３（Ａ４），…＃１９（Ｄ３），＃２０（Ｃ２）のように表示される。
【００５４】
また、２クルーＡ／ＢＣＤの＃１〜＃２０欄に、上記の２クルーＡ／ＢＣＤ窯順パターン設定画面６０６−３で設定された各炉団窯順データＡ，Ｂ，Ｃ，Ｄが、＃１（Ａ１），＃２（Ａ３），＃３（Ａ５），…＃１９（Ｂ２），＃２０（Ｂ４）が表示される。更に、１クルーＡＢＣＤ＃１〜＃２０欄に、上記の１クルー窯順パターン設定画面６０６−４で設定された各炉団窯順データＡ，Ｂ，Ｃ，Ｄが、＃１（Ｂ２），＃２（Ｃ５），＃３（Ｄ３），…＃１９（Ｄ４），＃２０（Ｂ４）が表示される。
【００５５】
これらの場合、２クルーＡＢ／ＣＤの設定では、＃１〜＃１０欄に表示された第１クルーのＡＢ炉団と、＃１１〜＃２０欄に表示された第２クルーのＣＤ炉団とが、並列に、先頭から末尾まで順次巡回して稼動することになる。２クルーＡ／ＢＣＤの設定では、＃１〜＃５欄に表示された第１クルーのＡ炉団と、＃６〜＃２０欄に表示された第２クルーのＢＣＤ炉団とが、並列に、先頭から末尾まで順次巡回して稼動することになる。１クルーＡＢＣＤの設定では、＃１〜＃２０欄に表示された第１クルーのＡＢＣＤ炉団が、先頭から末尾まで順次巡回して稼動することになる。
【００５６】
また、窯順パターン設定状態７１７には、２クルーＡＢ／ＣＤの＃１（Ｂ５）〜＃１０（Ａ５）の表示欄の下に、それらＢ５〜Ａ５の組の第１クルーの各窯の稼動状態を表示する第１クルースタート窯表示部７２１が表示され、＃１１（Ｄ５）〜＃２０（Ｂ４）の表示欄の下に、それらＤ５〜Ｂ４の組の第２クルーの各窯の稼動状態を表示する第２クルースタート窯表示部７２２が表示される。
【００５７】
また、２クルーＡ／ＢＣＤの＃１（Ａ１）〜＃５（Ａ４）の表示欄の下に、それらＡ１〜Ａ４の組の第１クルーの各窯の稼動状態を表示する第１クルースタート窯表示部７２３が表示され、＃６（Ｄ１）〜＃２０（Ｂ４）の表示欄の下に、それらＤ１〜Ｂ４の組の第２クルーの各窯の稼動状態を表示する第２クルースタート窯表示部７２４が表示される。
また、１クルーＡＢＣＤの＃１（Ｂ２）〜＃２０（Ｂ４）の表示欄の下に、その１クルーの各窯の稼動状態を表示するスタート窯表示部７２５が表示される。
【００５８】
現状設定状態７１８には、現在設定されている窯順パターンの操業クルーと、炉団の操業又は停止の状態と、現設定の操業クルーの窯順パターンが表示される。
更に、この操業スケジュール作成画面６０６−５には、上記のコークス炉操業のための各種設定後に、当該設定に基づくコークス炉操業スケジュールの作成を確定するスケジュール作成釦７２６が表示される。
また、炉団の点検や修理工事などで該当の炉団を停止する場合、図３（ｂ）に示す炉団停止選択画面６０６−１の停止釦７３５〜７３８で設定するようになされている。
【００５９】
この場合、スケジュール作成処理部６０４は、何れかの停止釦７３５〜７３８の押下に応じて次のように処理を行う。例えば、図７に示すように、２クルーＡＢ／ＣＤが選択されている場合に、炉団停止選択画面６０６−１においてＡ炉の停止釦７３５が押下されたとする。この場合、スケジュール作成処理部６０４は、図８の操業スケジュール作成画面６０６−５の炉団停止選択状態７１６に示すようにＡ炉を停止状態に表示し、これに対応する現状設定状態７１８の炉団停止選択欄のＡ炉を停止状態に表示する処理を行う。更に、窯順パターン設定状態７１７の２クルーＡＢ／ＣＤの＃１〜＃１０欄に示すように、Ａ炉団窯順データＡ１〜Ａ５を削除し、これに対応する現状設定状態７１８の＃１〜＃１０欄に示すようにＡ炉団窯順データＡ１〜Ａ５を削除する処理を行う。
【００６０】
この例の場合、第１クルーでは、＃１（Ｂ５），＃２（空白），＃３（空白），＃４（Ｂ２），＃５（Ｂ４），＃６（空白），＃７（空白），＃８（Ｂ１），＃９（Ｂ３），＃１０（空白）となるが、空白部分はスキップし、先頭の＃１から末尾の＃１０までＢ５，Ｂ２，Ｂ４，Ｂ１，Ｂ３の順に巡回して稼動することになる。
このような構成のコークス炉操業スケジュール作成装置６００によるコークス炉５００の操業スケジュールの作成処理を、図９に示すフローチャートを参照して説明する。
【００６１】
但し、スケジュール作成処理部６０４の表示部６０８には操作画面６０６として、図３に示す操業クルー選択画面６０６−０及び炉団停止選択画面６０６−１が表示されているとする。
ステップＳ１において、利用者は、操業クルー選択画面６０６−０にて、操業クルーを選択する操作を行う。例えば、２クルーＡＢ／ＣＤ釦７０１がクリックされ、これに応じたスケジュール作成処理部６０４の処理によって、ＡＢ炉団を第１クルー、ＣＤ炉団を第２クルーとする操業クルーが選択されたとする。
【００６２】
次に、ステップＳ２において、その選択に応じたスケジュール作成処理部６０４の処理によって、表示部６０８に、図４に示す２クルーＡＢ／ＣＤ窯順パターン設定画面６０６−２が表示される。
ここで、ステップＳ３において、その２クルーＡＢ／ＣＤ窯順パターン設定画面６０６−２にて利用者が、所定の窯順パターンに従って、Ａ〜Ｄ炉団窯順データＡ１〜Ａ５，Ｂ１〜Ｂ５，Ｃ１〜Ｃ５，Ｄ１〜Ｄ５を入力する。この入力は次のような利用者の操作に応じたスケジュール作成処理部６０４の処理によって実行される。
【００６３】
まず、ＡＢの＃１の選択釦をクリックして選択可能状態とし、次に、この選択欄に入力するＢ炉団窯順データＢ５を、これに対応する設定ＰＢ釦Ｂ５をクリックして入力し、決定釦７０５をクリックして決定する。この決定入力されたＢ炉団窯順データＢ５が誤りであった場合は、その＃１にＢ５が表示されている下の削除釦をクリックしてＢ５を削除する。ここでは、Ｂ５が適正であってＢ５が入力決定されたとする。
【００６４】
以降同様に、＃２にＡ２，＃３にＡ４，＃４にＢ２，＃５にＢ４，＃６にＡ１，＃７にＡ３，＃８にＢ１，＃９にＢ３，＃１０にＡ５が入力されて決定されたとする。
更に、同画面６０６−２のＣＤ＃１〜＃１０においても同様に、＃１にＤ５，＃２にＣ４，＃３にＤ２，＃４にＣ１，＃５にＤ４，＃６にＣ３，＃７にＤ１，＃８にＣ５，＃９にＤ３，＃１０にＣ２が入力されて決定されたとする。
ステップＳ４において、その入力決定により窯順データが設定されると、これに応じたスケジュール作成処理部６０４の処理によって、表示部６０８に、図７に示す操業スケジュール作成画面６０６−５が表示される。
【００６５】
つまり、操業クルー選択状態７１５として２クルーＡＢ／ＣＤが選択された状態が表示され、炉団停止選択状態７１６として、炉団停止選択が無く、Ａ〜Ｄ炉団の全てが操業設定されている状態が表示される。窯順パターン設定状態７１７としては、２クルーＡＢ／ＣＤの＃１〜＃２０欄に、上記の２クルーＡＢ／ＣＤ窯順パターン設定画面６０６−２でのＡ〜Ｄ炉団窯順データの設定状態、即ち、ＡＢクルー設定に応じて、＃１にＢ５、＃２にＡ２，＃３にＡ４，＃４にＢ２，＃５にＢ４，＃６にＡ１，＃７にＡ３，＃８にＢ１，＃９にＢ３，＃１０にＡ５が表示され、ＣＤクルー設定に応じて、＃１１にＤ５，＃１２にＣ４，＃１３にＤ２，＃１４にＣ１，＃１５にＤ４，＃１６にＣ３，＃１７にＤ１，＃１８にＣ５，＃１９にＤ３，＃２０にＣ２が表示される。
【００６６】
なお、この下方の２クルーＡ／ＢＣＤ並びに１クルーＡＢＣＤの各Ａ〜Ｄ炉団窯順データの設定状態は、以前に設定されたものであるとする。
更に、現状設定状態７１８に、現在設定されている操業クルーとして２クルーＡＢ／ＣＤが点灯表示され、Ａ〜Ｄ炉団の操業又は停止の状態として全炉団が操業として表示され、現設定の操業クルーの窯順パターンとして、２クルーＡＢ／ＣＤクルーのＡ〜Ｄ炉団窯順データが、＃１（Ｂ５），＃２（Ａ２），＃３（Ａ４），＃４（Ｂ２），＃５（Ｂ４），＃６（Ａ１），＃７（Ａ３），＃８（Ｂ１），＃９（Ｂ３），＃１０（Ａ５が表示され、ＣＤクルー設定（応じて、＃１１（Ｄ５），＃１２（Ｃ４），＃１３（Ｄ２），＃１４（Ｃ１），＃１５（Ｄ４），＃１６（Ｃ３），＃１７（Ｄ１），＃１８（Ｃ５），＃１９（Ｄ３），＃２０（Ｃ２）のように表示される。
【００６７】
ステップＳ５において、利用者は、その操業スケジュール作成画面６０６−５に表示された設定内容（設定スケジュール）が良い（ＯＫ）か否かを確認する。良くなければ上記ステップＳ１に戻って設定スケジュールの内容を変更する。
良ければステップＳ６において、操業スケジュール作成画面６０６−５のスケジュール作成釦７２６をクリックする。このクリックに応じたスケジュール作成処理部６０４の処理に応じて、その設定スケジュールが操業スケジュールとして確定され、これによって、操業スケジュールが完成する。
【００６８】
次に、Ａ〜Ｄ炉団の点検や修理工事などで炉団を停止する場合の操業スケジュールの作成処理を、図１０に示すフローチャートを参照して説明する。
但し、現在、コークス炉５００の操業に上記ステップＳ１〜Ｓ６の処理で完成した操業スケジュールが適用されているとする。また、停止対象はＡ炉団５１１とする。
まず、ステップＳ１１において、利用者によって点検や修理工事などで炉団を停止する際に、キーボード６１０又はマウス６１１にて図３に示す操業クルー選択画面６０６−０及び炉団停止選択画面６０６−１を表示するための操作が行われると、この操作に応じたスケジュール作成処理部６０４の処理によって、表示部６０８に、それら選択画面６０６−０及び６０６−１が表示される。
【００６９】
ステップＳ１２において、利用者は、炉団停止選択画面６０６−１で、停止対象のＡ炉団５１１の停止釦７３５をクリック選択する。
ステップＳ１３において、その選択に応じたスケジュール作成処理部６０４の処理によって、停止対象のＡ炉団と、このＡ炉団停止選択前の操業スケジュールにＡ炉団停止をコークス炉稼働率が低下しないように反映したＡ〜Ｄ炉団窯順データとが、図８に示す操業スケジュール作成画面６０６−５に表示される。即ち、炉団停止選択状態７１６に示すように、Ａ炉が停止状態に表示され、これに対応する現状設定状態７１８の炉団停止選択欄のＡ炉が停止状態に表示される。更に、窯順パターン設定状態７１７の２クルーＡＢ／ＣＤの＃１〜＃１０欄に示すように、Ａ炉団窯順データＡ１〜Ａ５が削除されて空白とされ、これに対応する現状設定状態７１８の＃１〜＃１０欄に示すようにＡ炉団窯順データＡ１〜Ａ５が削除されて空白とされる。
【００７０】
ステップＳ１４において、利用者は、その操業スケジュール作成画面６０６−５に表示された設定内容（設定スケジュール）が良い（ＯＫ）か否かを確認する。良くなければ上記ステップＳ１１に戻って設定スケジュールの内容を変更する。
良ければステップＳ１５において、操業スケジュール作成画面６０６−５のスケジュール作成釦７２６をクリックする。このクリックに応じたスケジュール作成処理部６０４の処理に応じて、その設定スケジュールが操業スケジュールとして確定され、これによって、操業スケジュールが完成する。
【００７１】
このように、本実施の形態のコークス炉操業スケジュール作成装置６００によれば、記憶部６０２に、Ａ〜Ｄ炉団毎に、当該炉団に配列された窯を５窯ピッチ数分の５グループに分け、更に全炉団の窯にシーケンシャルに付けた窯番号が、５グループの各々で５ピッチ毎に順次配列されるように定義づけた５組のＡ〜Ｄ炉団窯順データＡ１〜Ａ５，Ｂ１〜Ｂ５，Ｃ１〜Ｃ５，Ｄ１〜Ｄ５を記憶する。
【００７２】
また、スケジュール作成処理部６０４の処理によって、表示部６０８に、操業クルー選択画面６０６−０を表示し、この画面６０６−０で操業クルーが選択操作された際に、この選択された操業クルー別に、複数の炉団毎に定義づけられた５組の窯順データを組単位（Ａ１やＢ２などの単位）で入力設定するための窯順パターン設定画面６０６−２〜６０６−４を表示し、この画面６０６−２〜６０６−４での窯順データの入力設定操作に応じて当該設定内容を操業スケジュール作成画面６０６−５に表示し、この表示された設定内容を確定する操作に応じて、その設定内容を操業スケジュールとして確定する処理を行うようにした。
【００７３】
これによって、コークス炉５００の稼働率が低下しないように操業スケジュールを作成する場合、利用者は、画面上で操業クルーを選択し、複数の炉団毎に定義づけられた５組の窯順データを組単位で入力設定し、この設定内容を確定する操作を行えばよい。従って、従来のように、利用者が試行錯誤して全炉団の窯の１窯ずつ番号を入力して操業スケジュールを組といった処理が不要となる。
コークス炉５００では、Ａ〜Ｄの４つの炉団毎に５５窯配列されているので、全窯は４炉団×５５窯＝２２０窯であるが、この全２２０窯の１窯ずつ番号を入力してスケジュールを組むのはかなりの工数が掛かる。
【００７４】
しかし、本実施の形態では、Ａ〜Ｄ炉団毎に、５窯ピッチ毎に窯番号が、例えば「１，６，１１，…，５１」のように１１数値づつ配列された５組の窯順データＡ１〜Ａ５，Ｂ１〜Ｂ５，Ｃ１〜Ｃ５，Ｄ１〜Ｄ５を記憶しておき、これらを組単位（例えばＡ１）で入力設定可能である。つまり、Ａ１には１１数値の窯番号が組み込まれているので、従来に比べ、１／１１の入力設定回数で済み、更に各窯番号の確認も１窯毎に行わなくても済むので、スケジュール作成工数を大幅に削減することができる。
【００７５】
また、スケジュール作成処理部６０４が、複数の炉団のうち任意の炉団を停止するための炉団停止選択画面６０６−１を表示し、この画面６０６−１で操業クルーが停止選択操作された際に、この選択された炉団の窯順データが他の炉団の窯順データで補われるように自動で設定したのち当該設定内容を操業スケジュール作成画面６０６−５に表示し、この表示された設定内容を確定する操作に応じて、その設定内容を操業スケジュールとして確定する処理を行うようにした。
【００７６】
これによって、Ａ〜Ｄ炉団の点検や修理工事などで炉団を停止する場合、利用者は停止対象の炉団を停止選択操作するのみで、その停止選択された炉団の窯順データが他の炉団の窯順データで補われるように自動で設定されるので、従来のように、停止炉団を除く他の炉団で全２２０窯分を１窯ずつ番号入力してスケジュールを組むといった作業がなくなる。従って、本発明では炉団停止時にスケジュールを組む際に大幅に工数を削減することが可能となる。
つまり、コークス炉の点検や修理工事のために停止する炉団をコークス炉稼働率が低下しないように反映した操業スケジュールを、工数が掛からないように容易に組み直すことができる。
【図面の簡単な説明】
【００７７】
【図１】本発明の実施の形態に係るコークス炉操業スケジュール作成装置の構成を示すブロック図である。
【図２】炉団毎窯順データの内容をＡ〜Ｄ炉団毎に示す図である。
【図３】（ａ）操業クルー選択画面、（ｂ）炉団停止選択画面を示す図である。
【図４】２クルーＡＢ／ＣＤ窯順パターン設定画面を示す図である。
【図５】２クルーＡ／ＢＣＤ窯順パターン設定画面を示す図である。
【図６】１クルーＡ／ＢＣＤ窯順パターン設定画面を示す図である。
【図７】全炉団操業設定時の操業スケジュール作成画面を示す図である。
【図８】Ａ炉団を停止及びＣ〜Ｄ炉団操業設定時の操業スケジュール作成画面を示す図である。
【図９】本実施の形態のコークス炉操業スケジュール作成装置によるコークス炉の操業スケジュールの作成処理を説明するためのフローチャートである。
【図１０】Ａ〜Ｄ炉団の点検や修理工事などで炉団を停止する場合の操業スケジュールの作成処理を説明するためのフローチャートである。
【図１１】コークス炉の全体構成を示す図である。
【図１２】従来の操業スケジュールの表を示す図である。
【符号の説明】
【００７８】
１０  コークス炉
１１  Ａ炉団
１２  Ｂ炉団
１３  Ｃ炉団
１４  Ｄ炉団
１６，４４，４６  レール部
１８，１９  装炭車
２１，２２  石炭塔
２４，２５，２６，２７  上昇管
２９，３０，３１，３２  放散ブリーダー
３４  ガス管
３６，３７，３８  押出機
４０，４１，４２  ガイド車
４４  レール部
４８  消火車
４９  バケットカー
５１，５２  消火塔
５３  ＣＤＱ
５７，５８  煙突
６００  コークス炉操業スケジュール作成装置
６０２  記憶部
６０４  スケジュール作成処理部
６０６  操作画面
６０８  表示部
６１０  キーボード
６１１  マウス
ｄｔ  炉団毎窯順データ
Ａ１〜Ａ５  Ａ炉団窯順データ
Ｂ１〜Ｂ５  Ｂ炉団窯順データ
Ｃ１〜Ｃ５  Ｃ炉団窯順データ
Ｄ１〜Ｄ５  Ｄ炉団窯順データ
６０６−０  操業クルー選択画面
６０６−１  炉団停止選択画面
６０６−２  ２クルーＡＢ／ＣＤ窯順パターン設定画面
６０６−３  ２クルーＡ／ＢＣＤ窯順パターン設定画面
６０６−４  １クルーＡ／ＢＣＤ窯順パターン設定画面
６０６−５  操業スケジュール作成画面
７０１  ２クルーＡＢ／ＣＤ釦
７０２  ２クルーＡ／ＢＣＤ釦
７０３  １クルーＡＢＣＤ釦
７０５，７０７，７０９，７１１，７１３  決定釦
７０６，７０８，７１０，７１２，７１４  全削除釦
７１５  操業クルー選択状態
７１６  炉団停止選択状態
７１７  窯順パターン設定状態
７１８  現状設定状態
７２１，７２３  第１クルースタート窯表示部
７２２，７２４  第２クルースタート窯表示部
７２５  スタート窯表示部
７２６  スケジュール作成釦
７３１，７３２，７３３，７３４  操業釦
７３５，７３６，７３７，７３８  停止釦
【図１】
2008297442.tif 000003
【図２】
2008297442.tif 000004
【図３】
2008297442.tif 000005
【図４】
2008297442.tif 000006
【図５】
2008297442.tif 000007
【図６】
2008297442.tif 000008
【図７】
2008297442.tif 000009
【図８】
2008297442.tif 000010
【図９】
2008297442.tif 000011
【図１０】
2008297442.tif 000012
【図１１】
2008297442.tif 000013
【図１２】
2008297442.tif 000014